(57)【要約】【課題】フローリングは、空間の視覚美観を増加し、且つ、使用性の多変化が可能で、単一のフローリングの敷設問題に制限されず、実用性のあるフローリングで、付加価値を増加することができるフローリングの構造を提供する。【解決手段】フローリング構造は、石材板体と木材板体をフローリングに貼合し、必要に応じて、石材板体と木材板体を各種異なる排列形式に変化させ、フローリングの多変化使用形態を達成する。【選択図】図９
0003142455.tif 000002
【実用新案登録請求の範囲】
【請求項１】
フローリングの構造であって、石材板体と木材板体をフローリングに貼合してなり、これにより、前記石材板体と木材板体は必要に応じて異なる排列形式に変化できることを特徴とする、フローリングの構造。
【請求項２】
前記石材板体は石材層によりプラスチック層を結合してなることを特徴とする、請求項１に記載のフローリングの構造。
【請求項３】
前記石材層はプラスチック層を結合し、ゲルにより粘着することを特徴とする、請求項２に記載のフローリングの構造。
【請求項４】
前記木材板体は木材層によりプラスチック層を結合してなることを特徴とする、請求項１に記載のフローリングの構造。
【請求項５】
前記木材層はプラスチック層を結合し、ゲルにより粘着することを特徴とする、請求項４に記載のフローリングの構造。
【請求項６】
前記プラスチック層底部は粘着層を結合することを特徴とする、請求項２に記載のフローリングの構造。
【請求項７】
前記プラスチック層底部は粘着層を結合することを特徴とする、請求項４に記載のフローリングの構造。
【考案の詳細な説明】
【技術分野】
【０００１】
本考案はフローリングの構造に関し、特に、石材体と木材板体をフローリングに貼合し、各種異なる排列形式に変化できる使用効果を提供するフローリングに関するものである。
【背景技術】
【０００２】
フローリングの敷設は、異なる材質を使用することができる。フローリングは多種類あり、例えば、大理石や花崗岩等の石材板、木材質板があり、石材板は、室内に明るい印象を提供する。一般によく採用する石材板は敷設使用のもので、木材質板は特別な雰囲気と魅力があり、敷設は高貴な視覚を与える。しかし、一般の人がフローリングを敷設する時、単一の敷設形式である。公知のフローリング構造は、単一の敷設形式なので、使用が単調で、変化に飛んだ敷設使用が提供できず、使用形式が制限を受ける。
【考案の開示】
【考案が解決しようとする課題】
【０００３】
本考案の目的は、フローリングの構造を提供し、以上の問題を改善することにある。
【課題を解決するための手段】
【０００４】
本考案のフローリング構造は、石材板体と木材板体をフローリングに貼設し、必要に応じて、石材板体と木材板体を各種異なる排列形式に変化させる。
【考案の効果】
【０００５】
本考案のフローリング構造は、フローリングの多変化使用形態を達成し、空間の視覚美観を増加させ、使用性が変化に富む。
【考案を実施するための最良の形態】
【０００６】
図１〜図３は、本考案のフローリング構造を提供し、石材板体１０は、フローリングに貼合し、石材板体１０は石材層１１によりプラスチック層１３を結合し、且つ、石材層１１はプラスチック層１３を結合し、ゲル１２により粘着する。且つ、プラスチック層１３底部は粘着層１４を結合し、石材層１１は大理石か花崗岩で、ゲル１２は樹脂である。プラスチック層１３はプラスチックかゴムであり、これにより、石材板体１０は必要に応じて各種異なる形式に排列でき変化に富む。
【０００７】
図４、図５は、フローリングの構造を示す図で、木材板体２０はフローリングに貼設し、木材板体２０は木材層２１によりプラスチック層２３を結合し、且つ、木材層２１はプラスチック層２３を結合し、ゲル２２により粘着する。且つ、プラスリック層２３底部は粘着層２４を結合することができる。ゲル２２は樹脂で、プラスチック層２３はプラスチック、或いは、ゴムで、これにより木材板体２０は必要に応じて各種異なる形式に排列でき、変化に富む。
【０００８】
図６〜図８で示されるように、木材板体２０は木材層２１によりプラスチック層２３に結合され、且つ、木材層２１はプラスチック層２３を結合し、ゲル２２により粘着する。且つ、プラスチック層２３底部は粘着層２４を結合し、ゲル２２は樹脂で、プラスチック層２３はプラスチック、或いは、ゴムで、これにより木材板体２０は必要に応じて各種異なる形式に排列でき、変化に富み、本考案の木材板体２０のもう一種の使用形態を達成する。
【０００９】
図９、図１０のように、本考案の石材板体１０と木材板体２０はフローリング上に粘着することができ、各種異なる形式のフローリングに排列できる。
【００１０】
図１１のように、本考案の石材板体１０と木材板体２０はフローリング上に粘着することができ、必要に応じて、石材板体１０と木材板体２０を各種異なる形式に排列でき、排列方式は木材板体２０により石材板体１０を囲繞する設計で、フローリングのもう一種の形態を構成する。
【００１１】
図１２のように、本考案の石材板体１０と木材板体２０はフローリング上に粘着することができ、必要に応じて、石材板体１０と木材板体２０を各種異なる形式に排列でき、排列方式は四隅が石材板体１０で、且つ、内部と周辺に複数の木材板体２０を排列する設計で、且つ、木材板体２０は濃い色、薄い色に変化でき、フローリング構造の更にもう一つの使用形態を構成する。
【００１２】
図１３のように、本考案の石材板体１０と木材板体２０はフローリング上に粘着することができ、必要に応じて、石材板体１０と木材板体２０を各種異なる形式に排列でき、排列方式は四隅が木材板体２０で、且つ、内部中央に石材板体１０を排列する設計で、且つ、木材板体２０は濃い色、薄い色に変化でき、フローリング構造の更にもう一つの使用形態を構成する。
【００１３】
上述のような構造により、以下のような効果が達成される。本考案のフローリングの構造は、主に、石材板体と木材板体をフローリング上に粘着することができ、必要に応じて、石材板体と木材板体を各種異なる形式に排列でき、故に、フローリングの多変化使用形態を達成し、空間の視覚美観を増加し、使用性が多変化で、単一のフローリングの敷設に制限されず、実用性のあるフローリングが得られ、付加価値が増加する。
【図面の簡単な説明】
【００１４】
【図１】本考案の石材板体の組み合わせ外観図
【図２】本考案の石材板体の組み合わせ分解図
【図３】本考案の石材板体の組み合わせ断面図
【図４】本考案の石材板体の組み合わせ外観図
【図５】本考案の石材板体の組み合わせ分解図
【図６】本考案のもう一つの木材板体の組み合わせ外観図
【図７】本考案のもう一つの木材板体の組み合わせ分解図
【図８】本考案のもう一つの木材板体の組み合わせ断面図
【図９】本考案の実施例による使用状態参考図
【図１０】図９の実施例の組み合わせ分解図
【図１１】本考案のもう一つの実施例による使用状態参考図
【図１２】本考案の更にもう一つの実施例による使用状態参考図
【図１３】本考案の更にもう一つの実施例による使用状態参考図
【符号の説明】
【００１５】
１０      石材板体
１１      石材層
１２      ゲル
１３      プラスチック層
１４      粘着層
２０      木材板体
２１      木材層
２２      ゲル
２３      プラスチック層
２４      粘着層
【図１】
0003142455.tif 000003
【図２】
0003142455.tif 000004
【図３】
0003142455.tif 000005
【図４】
0003142455.tif 000006
【図５】
0003142455.tif 000007
【図６】
0003142455.tif 000008
【図７】
0003142455.tif 000009
【図８】
0003142455.tif 000010
【図９】
0003142455.tif 000011
【図１０】
0003142455.tif 000012
【図１１】
0003142455.tif 000013
【図１２】
0003142455.tif 000014
【図１３】
0003142455.tif 000015